(57)【要約】家具または家庭用電気器具の本体（２）から棚部（１５）を引き出して上昇させるための家具または家庭用電気器具の棚部（１５）の滑動および旋回機構であって、本体（２）の側壁（２１、２２）の少なくとも一方に側壁の面と平行の第１端部で回転可能に固定されるとともに相互に平行に離間して配置される少なくとも２つの旋回アーム（３、４）を備え、旋回アーム（３、４）の第２端部にそれぞれ案内レール（５）が側壁（２１、２２）の面に対して平行に旋回可能に固定され、これにより案内レール（５）が本体（２）内の下方位置から上昇された少なくとも部分的に本体（２）外にある上方位置へ旋回可能であり、案内レール（５）内で直線的に移動可能であるとともに棚部（１５）が固定される少なくとも１つの移動レール（６）を備え、滑動および旋回機構が、移動レール（６）の滑動と旋回が同時に行われることを防止するために、案内レール（５）および旋回アーム（３、４）の一方に配置されるとともに移動レール（６）に固定される作動部材（７）により作動可能であるロック機構を有する。【選択図】図１
2015534470.tif 000002
【特許請求の範囲】
【請求項１】
家具または家庭用電気器具の本体（２）から棚部（１５）を引き出して上昇させるための家具または家庭用電気器具の棚部（１５）の滑動および旋回機構であって、
本体（２）の側壁（２１、２２）の少なくとも一方に側壁（２１、２２）の面と平行の第１端部で回転可能に固定されるとともに相互に離間して平行に配置される少なくとも２つの旋回アーム（３、４）を備え、
旋回アーム（３、４）の第２端部にそれぞれ案内レール（５）が側壁（２１、２２）の面に対して平行に旋回可能に固定され、これにより案内レール（５）が本体（２）内の下端位置から上昇された少なくとも部分的に本体（２）外にある上端位置へ旋回可能であり、
案内レール（５）内で直線的に移動可能であるとともに棚部（１５）が固定されている少なくとも１つの移動レール（６）を備える滑動および旋回機構において、
移動レール（６）の滑動と旋回が同時に行われることを防止するために、案内レール（５）上および旋回アーム（３、４）の一方に配置されるとともに移動レール（６）に固定される作動部材（７）により作動可能であるロック機構を備えることを特徴とする
滑動および旋回機構。
【請求項２】
ロック機構がウェブ（９）を備え、当該ウェブが、案内レール（６）の方向に突出するとともに、案内レール（５）上に固定される案内軌道（１０３）に沿って第１ロック位置から少なくとももう１つのロック位置へ案内可能であるボルト（９１）によって、旋回アーム（３、４）の一方に旋回可能かつ弾性的に保持されることを特徴とする
請求項１に記載の滑動および旋回機構。
【請求項３】
案内軌道（１０３）が、第１ロック溝と少なくとももう１つのロック溝と（１０１、１０２）により画定される湾曲部分として構成されている
請求項２に記載の滑動および旋回機構。
【請求項４】
案内軌道（１０３）およびロック溝（１０１、１０２）が、案内レール（５）に固定的に接続されるプレート（１０）上に構成されることを特徴とする
請求項２または３に記載の滑動および旋回機構。
【請求項５】
移動レール（６）に固定される作動部材（７）が第１ストッパ（７４）を備え、これによってロックボルト（９１）は、移動レール（６）が引き出された際に、第１ロック溝（１０１）内の旋回アーム（３、４）の旋回動作をブロックする位置から延伸方向（Ａ）へ動かされることが可能であることを特徴とする
先の請求項のいずれか一項に記載の滑動および旋回機構。
【請求項６】
移動レール（６）に固定される作動部材（７）が、旋回アーム（３、４）の旋回時にロックボルト（９１）を案内軌道（１０３）に沿って案内する案内部（７５）を備えることを特徴とする
先の請求項のいずれか一項に記載の滑動および旋回機構。
【請求項７】
移動レール（６）に固定される作動部材（７）が、傾斜して上昇するウェブ（７６）を備え、これによってロックボルト（９１）は、移動レール（６）が引き出された際に、第２ロック溝（１０２）内の旋回アーム（３、４）の旋回動作をブロックする位置から延伸方向（Ａ）へ動かされることが可能であることを特徴とする
先の請求項のいずれか一項に記載の滑動および旋回機構。
【請求項８】
作動部材（７）が、棚部（１５）を固定するための少なくとも１つの固定部材を備えることを特徴とする
先の請求項のいずれか一項に記載の滑動および旋回機構。
【請求項９】
ロックボルト（９１）が、第２案内アーム（４）の長手延伸方向に対して垂直に位置合わせされる第２案内アーム（４）の案内溝（４４）内で案内されることを特徴とする
先の請求項のいずれか一項に記載の滑動および旋回機構。
【請求項１０】
本体（２）の側壁（２１、２２）の一方および旋回アーム（３、４）の一方に固定される少なくとも１つの昇降補助（１１）が、旋回アーム（３、４）の旋回動作を支援するために設けられていることを特徴とする
先の請求項のいずれか一項に記載の滑動および旋回機構。
【請求項１１】
高さ調節機構（１）のアーム（３、４）および昇降補助（１１）が第１端部で固定される側壁保持部（１２）が、対向して配置される本体側壁（２１、２２）の少なくとも一方に固定されることを特徴とする
先の請求項のいずれか一項に記載の滑動および旋回機構。
【請求項１２】
昇降補助（１１）が蓄力手段、特に引張りばねまたは空気ばねとして構成されることを特徴とする
請求項１１に記載の滑動および旋回機構。
【請求項１３】
ウェブ（９）と第２旋回アーム（４）とをボルト（９１）付近の領域でつなぎ合わせているばね部材（９４、９５）が、ウェブ（９）と第２旋回アーム（４）との間に配置されていることを特徴とする
先の請求項のいずれか一項に記載の滑動および旋回機構。
【請求項１４】
移動レール（６）の旋回および滑動が同時に行われることを防止するロック位置に到達すると、ばね部材（９５）が、旋回アームに設けられる突起部（４）に音を出して係止可能であることを特徴とする
請求項１３に記載の滑動および旋回機構。
【請求項１５】
少なくとも部分的に滑動および旋回機構の側面を覆うカバー（１７）が、滑動および旋回機構の側部に棚部（１５）から離間して配置されることを特徴とする
先の請求項のいずれか一項に記載の滑動および旋回機構。
【請求項１６】
滑動および旋回機構のロック位置または非ロック位置を示すための視覚的に認識可能な操作帯を有するウェブ（１７８）が、カバー（１７）に設けられることを特徴とする
請求項１５に記載の滑動および旋回機構。
【請求項１７】
家具本体（２）と、滑動および旋回機構により家具本体（２）内に固定され、これによって家具本体（２）から引き出され上昇させられることが可能である少なくとも１つの棚部（１５）とを有する家具において、旋回および滑動機構が先の請求項のいずれか一項または複数項に従って構成されていることを特徴とする
家具。
【請求項１８】
使用可能な空間の内面、特に洗浄空間（２３）または調理空間に滑動および旋回機構によって固定され、これにより使用空間から引き出され上昇させられることが可能である少なくとも１つの棚部（１５）を有する家庭用電気器具、特に食洗機または調理機器において、滑動および旋回機構が先の請求項のいずれか一項または複数項に従って構成されていることを特徴とする
家庭用電気器具。
【発明の詳細な説明】
【技術分野】
【０００１】
本発明は、家具または家庭用電気器具の棚部の滑動および旋回機構に関し、これは、請求項１の前提部分に従って家具本体から棚部を引き出して上昇させるためのものである。  
本発明はさらに、この種の滑動および旋回機構を備える家具ならびに家庭用電気器具に関する。
【０００２】
この種の滑動および旋回機構は特に食洗機、冷蔵庫、冷凍庫または調理機器に設置されており、これは下方の水切りかごや容器または食品調理用トレイを食洗機の洗浄空間や冷蔵庫または冷凍庫内部または調理機器の調理空間から引き出し、同時に食洗機のかごまたは食品調理用トレイからの出し入れが使用者にとって快適である位置へと上昇させるためである。
【背景技術】
【０００３】
特許文献１より公知の滑動および旋回機構では、棚部の昇降は、旋回アームの１つと協働する引張ばねにより支援され、これによって使用者は出し入れのためにかがんで背部の筋肉や背骨を痛めなくて済むため、出し入れが容易になる。  
また、たとえば車椅子使用者にも滑動および旋回機構によって下方の棚が届きやすくなる。
【０００４】
特許文献２は、ウォールキャビネットから収納用物入れを引き出し、続いて滑動および旋回機構によってその収納用物入れをその下方に取り付けられている収納用物入れの前へ下降させ、収納用物入れへの出し入れを容易にすることが可能である滑動および旋回機構を開示している。  
降下された収納用物入れが押し込まれてしまうことを回避するため、旋回アームの１つにはボルトが設けられ、このボルトは下方位置で収納用物入れの後壁部の移動経路に突起しており、こうして下方位置での挿入動作を回避する。
【先行技術文献】
【特許文献】
【０００５】
【特許文献１】独国実用新案第２０２００９００４７７１（Ｕ１）号明細書
【特許文献２】米国特許第５４６２３４７号明細書
【発明の概要】
【発明が解決しようとする課題】
【０００６】
この種の滑動および旋回機構はその実用性が認められている。  
たとえば棚部が部分的に挿入された状態で上昇させられることを回避するために、棚部の引き出しおよび上昇、または下降および挿入の手順がより正確に操作されることが望ましい。
【課題を解決するための手段】
【０００７】
この課題は、家具または家庭用電気器具の本体から棚を引き出して上昇させるための請求項１に記載の特徴を有する家具または家庭用電気器具の棚部の滑動および旋回機構により達成される。  
この課題はさらに、請求項１７に記載の特徴を有する家具、および請求項１８に記載の特徴を有する家庭用電気器具によって達成される。
【発明の効果】
【０００８】
本発明に係り、旋回および滑動機構は少なくとも２つの旋回アームを備え、これらは本体の側壁の少なくとも一方に側壁の面と平行の第１端部で回転可能に固定されているとともに相互に平行に配置され、旋回アームの第２端部にはそれぞれ案内レールが側壁の面に対して平行に旋回可能に固定され、これにより案内レールは本体内の下端位置から上昇された少なくとも部分的に本体外にある上端位置へ旋回可能であり、少なくとも１つの移動レールを滑動および旋回機構が有し、これが案内レール内で直線的に移動可能であり、ここに棚部が固定され、滑動および旋回機構はさらにロック機構を備え、これは移動レールが同時に滑動および旋回することを防止するために案内レールおよび旋回アームの一方に配置される。
【０００９】
棚部の引き出しおよび上昇動作、または下降および挿入動作の手順は、ロック機構によって正確に操作することが可能であり、これにより、たとえば棚部の上昇と延伸が同時に行われることが効果的に防止される。  
結果として、棚部が部分的に挿入された状態での上昇動作が回避される。
【００１０】
本発明の有利な変形例は従属請求項に記載される。
【００１１】
本発明の一変形例では、ロック機構は、移動レール上に固定される作動部材により作動可能である。
【００１２】
滑走レール上に固定される作動部材によって、滑動および旋回機構の旋回動作が初めて可能になる棚部の所定の引き出し位置を画定することが可能であり、これにより家具本体からの棚部の引き出し動作の適切な手順が確実に行われるようになる。
【００１３】
本発明の一変形例に係り、ロック機構がウェブを備え、このウェブが、案内レールの方向へ突出するとともに案内レールに固定される案内軌道に沿って第１ロック位置から少なくとも第２ロック位置へ案内可能であるボルトによって、旋回アームの一方に旋回可能かつ弾性的に保持される。
【００１４】
この場合ロック位置は好適には、湾曲部として構成される案内軌道を画定するロック溝により決定される。  
案内軌道に沿って案内されるボルトによって旋回アームの動作手順の正確な実施が可能になる。
【００１５】
本発明に係る滑動および旋回機構のさらなる変形例に係り、ロック機構を作動させるために用いられる作動部材は第１ストッパを備え、これによってロックボルトは、移動レールが引き出された際に、第１ロック溝内の旋回アームの旋回動作をブロックする位置から延伸方向へ動かされることが可能である。  
作動部材を移動レールの所定の位置へ配置することによって、旋回アームの旋回動作の始動点が簡単かつ正確に確定される。
【００１６】
旋回アームの旋回動作を正確に案内するため、別の有利な変形例に係り、移動レール上に固定される作動部材は、旋回アームの旋回時にロックボルトを案内軌道に沿って案内する案内部材を有する。  
これによってロックボルトは、上述の構成部品により形成される案内溝に案内され、棚部が上方に旋回された位置に到達すると第２ロック溝に係止されることが可能である。
【００１７】
棚部への出し入れが行われた後に、棚部が本体内へ戻るよう旋回可能にするため、別の変形例に係り、移動レール上に固定される作動部材は、傾斜状に高さが増加するウェブを有し、これによりロックボルトは、移動レールが引き出されると、第２ロック溝内の旋回アームの旋回動作をブロックする位置から延伸方向へ動かされることが可能である。
【００１８】
本発明の別の発展形態では、作動部材は棚部を固定するための少なくとも１つの固定部材を備え、これにより棚部を固定するために移動レール上にその他の部品が不要となり、作動部材が同時に棚部を固定する役目を果たす。
【００１９】
ロックボルトを正確に案内し、確実にロック溝内に配置するために、ロックボルトは好適には、第２案内アームの長手延伸方向に対して垂直に位置合せされる第２案内アームの案内溝へ案内され、これによって、上述の通りロックボルト自体は第２旋回アームに旋回可能かつ弾性的に保持されるウェブに固定されているため、ロックボルトは第２案内アームに対して直線的動作のみを行うことが保証される。
【００２０】
棚部の昇降をさらに簡単にするために、本体の少なくとも一方の側壁および旋回アームの一方に、旋回アームの旋回動作を支援するための昇降補助が固定される。
【００２１】
好適な変形例に係り、汚れからの保護および／または、たとえば使用者の指が挟まれることを回避するため、滑動および旋回機構の側面の少なくとも一部を覆うカバーが滑動および旋回機構の側部に棚部から離間して配置されることが可能である。
【００２２】
移動レールが同時に旋回、滑動することを回避するためのロック位置を検知、またはこのロック位置に到達したことを検知可能にするために、本発明の一変形例に係り、ロック位置は聴覚的または視覚的に認識可能にされる。  
このためには、第１の場合は旋回アームに設けられる突起部内または突起部上に聴覚的に認識可能にばね部材が係止されることが可能であり、第２の場合は滑動および旋回機構のロック位置または非ロック位置を表示するための視覚的に認識可能な操作帯を有するウェブがカバーに設けられる。
【００２３】
移動システムは、案内レールと、移動レールと、選択的に少なくとも１つの中央レールとを含むことが可能である。
【００２４】
滑動および旋回機構は、家具または家庭用電気器具の本体内に、材料結合および／または形状結合および／または摩擦力結合により固定されることが可能である。
【００２５】
棚部はたとえば、食品調理用トレイ、水切りかご、引き出し、冷蔵または冷凍製品用の容器、または引き出し式の棚として構成されることが可能である。
【００２６】
本文献において「家具」とは、たとえば研究所、診療所、作業場、船舶、ヨット、車両、キャンピングカー、トレーラハウス用の装置も含むものとする。
【００２７】
本発明の実施例を添付の図面に基づいて以下に詳細に説明する。
【図面の簡単な説明】
【００２８】
【図１】本発明に係る滑動および旋回機構の変形例の完全に下降した位置における斜視図である。
【図２】図１のＩＩで示される部分の詳細図である。
【図３】滑動および旋回機構の上昇前に移動レールが案内レールから出された状態における図１の滑動および旋回機構の斜視図である。
【図４】図３のＩＶで示される部分の詳細図である。
【図５】旋回アームの旋回動作がロックされていない位置にある滑動および旋回機構の斜視図である。
【図６】図５のＶＩで示される切り出し部分の詳細図である。
【図７】図５および６に対応する滑動および旋回機構の旋回動作中の斜視図である。
【図８】図７のＶＩＩＩで示される切り出し部分の詳細図である。
【図９】旋回動作がさらに進行した状態の図７および８に対応する滑動および旋回機構の斜視図である。
【図１０】図９のＸで示される切り出し部分の詳細図である。
【図１１】図９および１０に対応する滑動および旋回機構の上方に旋回された位置でロックする直前の状態の図である。
【図１２】図１１のＸＩＩで示される切り出し部分の詳細図である。
【図１３】さらなる旋回がブロックされる位置にある図１１および１２に対応する滑動および旋回機構の図である。
【図１４】図１３のＸＩＶで示される切り出し部分の詳細図である。
【図１５】滑動および旋回機構が上端ロック位置から解除される際の図１３および１４に対応する滑動および旋回機構の図である。
【図１６】図１５のＸＶＩで示される切り出し部分の詳細図である。
【図１７】図１５および１６に示される解除位置の直後で滑動および旋回機構の新たな降下動作が開始される図１５および１６に対応する滑動および旋回機構の図である。
【図１８】図１７のＸＶＩＩＩで示される切り出し部分の詳細図である。
【図１９】ロックボルトがブロック位置へ戻る直前の、滑動および旋回機構が完全に再降下した後の図１７および１８に対応する滑動および旋回機構の図である。
【図２０】図１９のＸＸで示される切り出し部分の詳細図である。
【図２１】滑動および旋回機構の上方への旋回がブロックされるロックボルトの位置への到達後の図１９および２０に対応する滑動および旋回機構の図である。
【図２２】図２１のＸＩＩで示される切り出し部分の詳細図である。
【図２３】滑動および旋回機構を本体の側壁に固定するための２つの部品からなる固定プレートを有する本発明に係る滑動および旋回機構の変形例の斜視図である。
【図２４】滑動および旋回機構を本体の側壁に固定するための固定プレートを有する本発明に係る滑動および旋回機構の変形例の斜視図である。
【図２５】上段および下段の水切りかごを有する食洗機の本体の斜視図であって、下段に本発明に係る滑動および旋回機構の変形例が設けられている。
【図２６】上段および下段の水切りかごを有する食洗機の本体の斜視図であって、下段に本発明に係る滑動および旋回機構の変形例が設けられている。
【図２７】上段および下段の水切りかごを有する食洗機の本体の斜視図であって、下段に本発明に係る滑動および旋回機構の変形例が設けられている。
【図２８】滑動および旋回機構に固定される棚部が延伸された状態の斜視図である。
【図２９ａ】滑動および旋回機構を本体の側壁に固定するための固定プレートの別の変形例を有する滑動式キャビネット機構の斜視図である。
【図２９ｂ】滑動および旋回機構を本体の側壁に固定するための固定プレートの別の変形例を有する滑動式キャビネット機構の斜視図である。
【図２９ｃ】滑動および旋回機構を本体の側壁に固定するための固定プレートの別の変形例を有する滑動式キャビネット機構の斜視図である。
【図３０】図２８の滑動および旋回機構の斜視図であり、ここには延伸された棚部は示されていない。
【図３１ａ】上端ロック位置での滑動および旋回機構の斜視図であり、このロック位置から滑動および旋回機構が意図せずに解除されることを防止するためのばね部材の取り付けを示している。
【図３１ｂ】上端ロック位置での滑動および旋回機構の斜視図であり、このロック位置から滑動および旋回機構が意図せずに解除されることを防止するためのばね部材の取り付けを示している。
【図３２ａ】滑動および旋回機構の側方カバー、ならびにこの側方カバーの滑動および旋回機構への配置を示す斜視図である。
【図３２ｂ】滑動および旋回機構の側方カバー、ならびにこの側方カバーの滑動および旋回機構への配置を示す斜視図である。
【図３２ｃ】滑動および旋回機構の側方カバー、ならびにこの側方カバーの滑動および旋回機構への配置を示す斜視図である。
【図３３】上端のロック位置における非ロック状態での滑動および旋回機構の斜視図である。
【図３４】図３３のＸＸＸＩＶで示される切り出し部分の詳細図である。
【図３５】図３３および３４に示される滑動および旋回機構のロック状態での斜視図である。
【図３６】図３５のＸＸＸＶＩで示される切り出し部分の詳細図である。
【発明を実施するための形態】
【００２９】
以下の図面の説明において、「上」、「下」、「左」、「右左」、「前」、「後」等の用語は、滑動および旋回機構、旋回アーム、案内レール、移動レール、作動部材等の各図面において例として選択された表現および位置にのみ関するものである。  
上記の用語はこれに限定することを意図するものではなく、異なる作動位置に応じて変更されたり、左右対称等の設計に実施したりすることも可能である。
【００３０】
図１から２２は本発明に係る滑動および旋回機構の第１変形例を示す。  
上昇作動やそれに続く降下作動中の滑動および旋回機構の位置は例示的に示されるものである。
【００３１】
ここでは、本発明に係る滑動および旋回機構は、ここで示されるようにたとえば食洗機のような家庭用電気器具の棚部１５を図２５から２８に例として示すように引き出して上昇させる、または降下させて挿入するために使用される。  
しかし、棚部への出し入れを快適に行えるよう本体２から引き出されて上昇位置へ持ち上げられることができる棚部１５を有する家具１に一般的に設置されることも可能である。
【００３２】
図１から２２はそれぞれ２つ１組として、１つ目に滑動および旋回機構の変形例の全体の斜視図を、２つ目に１つ目の図において丸で囲まれた切り出し部分の詳細な正面図を示している。
【００３３】
たとえば図１で示されるように、滑動および旋回機構は少なくとも２つの旋回アーム３、４を備え、これは本体２の側壁２１、２２（図２５から２７に図示）の少なくとも一方に、側壁２１、２２の面と平行の第１端部で回転可能に固定されているとともに相互に離間して平行に配置されている。  
旋回アーム３、４の第２端部はここでは、移動システムの案内レール５上に回転可能に固定されており、ここで少なくとも１つの移動レール６が直線的に動かされることが可能であり、作動部材７および固定装置８によって棚部１５が固定されている。  
ここでは旋回アーム３、４は本体２の側壁２１、２２に固定され、好適には側壁２１、２２に取り付け可能であるとともに、各回り継手３１、４１により旋回アーム３、４が旋回可能であるように固定されている側壁保持部１２によって固定される。  
ここでは旋回アーム３、４は、さらなる回り継手３２、４２（図２８に図示）により旋回可能であるように案内レール５に固定されており、これにより旋回アーム３、４の旋回時に案内レール５は水平位置に維持されつつも、本体２内の下端位置から、少なくとも部分的に本体２外にある上昇された上端位置へ旋回されることが可能である。  
これは図２６および２７に示される。  
旋回アーム３の動作を同期させるための同期部材１６が、棚部１５の両側に配置される旋回アーム３の肩部３４の間に設けられる。  
ここでは同期部材１６は、好適にはたとえばリベット３５により肩部３４に固定される棒として構成されており、図２８および３０に示されるように、リベット３５を通すための孔を有する固定プレート１６１が棒の端部に設けられている。
【００３４】
上昇および降下の動作を支援するため、側壁２１、２２の少なくとも一方または側壁保持部１２に旋回アーム３、４の旋回を支援するための昇降補助１１が設けられる。  
昇降補助１１はここでは、好適には一方の端部で側壁保持部１２に、他方の端部で第１の旋回アーム３に各ボルト３３、１２３により固定される引張ばね１１として構成される。
【００３５】
また、昇降補助１１は空気ばねとして構成されることも考えられる。  
これによって、設置スペースは同じまま、より大きい力を得ることが可能である。  
空気ばねはさらに、閉鎖されたシステムの利点を有する。  
すなわち、らせんばねの形の引張ばねに対して、空気ばねの場合は、汚れやすすぎの水が残留してしまう空洞部または隙間がない。
【００３６】
旋回アーム３、４が上端位置を越えて回転することを防止するために、好適には側壁保持部１２にストッパ１２１が構成され、ここに上端位置に到達の際に第１旋回アーム３の上端面が当たる。  
好適な変形例では、たとえばストッパが金属部品の場合に旋回アーム３がストッパ１２１に激しく、大きな音を出して当たることを回避するために、ストッパ１２１のストッパ面にはたとえばゴムコーティングのような弾性材料が設けられる。
【００３７】
棚部１５、そしてすなわち滑動および旋回機構が、同時に旋回と滑動を行うことを回避するため、案内レール５および旋回アーム３、４の一方に配置されるとともに、移動レール６に固定される作動部材７により作動可能であるロック機構を滑動および旋回機構が備える。
【００３８】
ここではロック機構は好適にはウェブ９を備え、このウェブは、案内レール６の方向に突出するとともに案内レール５に固定される案内軌道１０３に沿って案内されることが可能であるボルト９１によって、旋回アーム３、４の一方に旋回可能かつ弾性的に保持される。  
この案内軌道１０３は好適には、案内レール５に固定されるプレート１０の一部として構成され、プレート１０の縁部の一部が案内軌道１０３を形成し、これは各ロック溝１０１、１０２により画定され、案内軌道１０３は好適には、旋回アーム３、４の旋回動作の際にボルト９１が案内される湾曲部として構成されている。
【００３９】
ここではウェブ９は旋回ボルト９２により第２旋回アーム４に保持され、ボルト９１は好適には第２旋回アーム４の案内溝４４内を案内され、これによりウェブ９は上記案内溝４４の長手延伸方向に対応して旋回ボルト９２から離間する端部で旋回アーム４の側縁部から離れるように動かされることが可能である。  
ウェブ９と第２旋回アーム４との間のばね部材９４はここでは、ボルト９１が常にプレート１０の方向へ引っ張られているように構成されている。
【００４０】
図３１ａ）およびｂ）に示される別の変形例では、ウェブ９は旋回アーム４にばね部材９５により接続されており、このばね部材は、ボルト９１がロック溝１０２から意図されずに解除されることを防止するようにボルト９１に力で作用するように位置する。  
ばね部材９５は好適には、プラスチック製の部材として構成され、旋回アーム４の突起部と相互作用する。
【００４１】
ここで示す変形例では、ばね部材９５は複数の部品からなり、第１ハウジング部品９５１と第２ハウジング部品９５２とからなり、これらは、ウェブ９の両側でウェブ９に開けられる細長い穴９６を通して特にリベットまたはクリップにより相互に接続される。  
旋回アーム４の穴４５内に自由端が取り付けられるばねアーム９５３は、第２ハウジング部品９５２に一体的に成形される。  
また、たとえばボタンを押したり、または棒を引いたりすることによって使用者により能動的に解除されなくてはならない形式でボルトのロックを構成することも考えられる。
【００４２】
接移動レールに固定される作動部材７は、その延伸方向Ａを向いている端面で第１ストッパ７４を備える。  
このストッパ７４は、移動レール６が引き出されている際に第１ロック溝１０１内の旋回アーム３、４の旋回動作をブロックする位置からロックボルト９１を動かすために用いられる。  
図１および２は、棚部がまだ完全に本体２内にある状態の滑動および旋回機構の位置を示している。  
図２において明確に示されているように、ボルト９１はプレート１０のロック溝１０１内にあり、これにより旋回アーム３、４の旋回動作はブロックされている。  
移動レールに固定される作動部材９は好適には、同時に棚部１５の固定用にも用いられ、このためにたとえば締め付け溝７１、７２を備えている。
【００４３】
図３および４には、移動レール６が案内レール５に対して延伸方向Ａへ移動されている状態の滑動および旋回機構の位置が示されている。  
ここでは作動部材７は、ストッパ７４がボルト９１に直接当たるまで移動レール６の動作により延伸方向Ａに前進させられる。  
図５および６、または図７および８に示されるように、移動レール６のさらなる延伸方向Ａへの移動によって、まずボルト９１がロック溝１０１から、図８の詳細図に示されるように案内軌道１０３の領域へ押し出され、ここで旋回アーム３、４の旋回運動が可能にされる。
【００４４】
ボルト９１を案内軌道１０３に沿って案内するため、旋回アーム３、４に対向する作動部材７の後側には案内部７５が設けられており、これは案内軌道１０３と共に案内経路を形成し、たとえば図９および１０に示されるように、ここを滑動および旋回機構の上昇作動時に旋回アーム３、４がその上端位置に到達するまでボルト９１が案内される。  
図１１および１２に示されるこの位置では、ボルト９１はプレート１０のストッパ１０４に当たり、同時にボルト９１のさらなる動作はブロックされる。  
この位置では、ウェブ９はばね部材９４によりボルト９１で第２旋回アーム４の方向へ引っ張られ、これによりボルト９１はストッパ１０４に沿って第２ロック溝１０２内へ滑動し、続いて旋回アーム３、４の旋回動作を完全にブロックする。
【００４５】
この位置では、移動レール６に固定される棚部１５はその上昇された端部位置にあり、使用者は腰を曲げることなく棚部１５に物を出し入れできる。  
この場合、ロック機構は、棚部が上記位置に留まり、たとえば棚部１５に重たい物を載せた際に意図せずに棚部が下がってしまうことを効果的に回避する。
【００４６】
上記上端位置に到達した後、滑動および旋回機構を再びその始動位置へ戻すために、移動システムはまずわずかに延伸方向Ａへ引っ張られる。  
そこで図１６および１８に示されるように作動部材７に構成される傾斜７６によってボルト９１はロック溝１０２から出るよう上昇され、これによりボルト９１は再度プレート１０の案内軌道１０３に沿って第１ロック溝１０１の方向へ下端位置に向かって動くことが可能になり、これと同時に図１９および２０に示される下方位置に再び到達するまで旋回アーム３、４の旋回動作によって案内レール５および移動レール６が降下し、これにより移動レール６が延伸方向Ａとは反対に戻され、ボルト９１は再び底部ロック溝１０１内に引っ張られ、これにより旋回アーム３、４のさらなる旋回は再びブロックされ、棚部１５または移動レール６は直線的に動かされて再び本体２内へ完全に戻ることが可能である。
【００４７】
図２３、２４および２９はさらに、側壁保持部の別の変形例を示している。  
これはこの実施例では側壁保持部１２と補助プレート１３とにより形成されており、補助プレート１３は本体の側壁２１、２２に固定され、滑動および旋回機構は、側壁保持部１２を補助プレート１３に取り付けることによって固定されることが可能である。  
ここでは側壁保持部１２は、フック１３１を受けるための凹部１２４、１２５を備え、このフックは補助プレート１３に設けられ、側壁保持部１２の凹部１２４、１２５内に挿入可能であり、凹部１２５から延伸する細長い溝１２６内への移動によってロックされることが可能である。  
好適には、フック１３１は凹部１２４，１２５に取り付けられると、保持部材１２２により緩みや汚れから保護される。  
ここでは保持部材１２２は好適にはプラスチック製であり、フック１３１または凹部１２４、１２５にクリップ止めされることが可能である。  
たとえば金属などのその他の材料またはその他の固定方法も考えられる。
【００４８】
補助プレート１３は家具または家庭用電気器具の壁部と一体的に構成されることも可能である。  
フック１３１は個々に家具または家庭用電気器具の対応する位置で固定されることも可能である。  
滑動および旋回機構は、家具または家庭用電気器具の本体内に材料結合、形状結合および／または摩擦力結合により固定されることが可能である。
【００４９】
図３２から３６に示す別の好適な変形例では、滑動および旋回機構の側部に棚部１５から離間して、滑動および旋回機構の汚れおよび（指の）挟みこみを防止し、少なくとも部分的に滑動および旋回機構の側面を覆うカバー１７が取り付けられる。
【００５０】
ここで示す変形例ではカバー１７は複数の部品からなり、第１カバー部品１７１と、第２カバー部品１７２とからなる。  
カバー１７を一体的に構成することも考えられる。
【００５１】
カバー１７、またはカバー部品１７１、１７２は好適には、回り継手３２、４２およびウェブ９を囲むための凹部１７３、１７５および／または開口部１７４を有する平面的なプラスチック材料からなり、好適には少なくとも部分的にリブ１７６により補強されている。  
カバー部品１７１、１７２の固定は好適には、たとえばカバー部品１７１、１７２に一体的に形成される突起部１７７を嵌めこむことによって工具を使用せずに行われる。
【００５２】
滑動および旋回機構の上端ロック位置への係止を使用者に認識可能にするため、好適な変形例ではロック工程は、旋回アーム４上の突起部に音を出して係止するばね部材９５を用いて、ロック工程の音によるフィードバックによって構成される。
【００５３】
別の変形例に係り、滑動および旋回機構の上端のロック位置での係止は、図３３から３６に示されるように使用者に視覚的に認識可能になっている。
【００５４】
図３４に詳細に示されるように、たとえば色付きの操作帯を有するウェブ１７８がこのためにカバー１７に設けられており、これは機構の非ロック位置では使用者に見えるようになっており、ボルト９１の上端ロック位置ではウェブ９に一体的に成形されている突起部９７により覆われている。
【００５５】
図３３および３４は、ボルト９１がロック溝１０２から解放されている非ロック状態を示している。  
この状態では、ボルト９１の領域内のウェブ９と旋回アーム４との間の間隔はウェブ１７８の操作帯が見える十分な大きさとなっている。
【００５６】
図３５および３６は、ウェブ９が旋回アーム４に直接当たっており、ばね部材９５によりこの位置で保持されているロック状態を示している。  
操作帯を有するウェブ１７８は、ロック位置で突起部９７により覆われている。
【符号の説明】
【００５７】
１  家具
２  本体
２１  側壁
２２  側壁
２３  洗浄空間
３  旋回アーム
３１  回り継手
３２  回り継手
３３  ボルト
３４  肩部
３５  リベット
４  旋回アーム
４１  回り継手
４２  回り継手
４３  端部
４４  案内溝
４５  穴
５  案内レール
６  移動レール
７  作動部材
７１  締め付け溝
７２  締め付け溝
７３  ブラケット
７４  ストッパ
７５  案内部
７６  傾斜
７７  ストッパ
８  固定装置
８１  締め付け溝
８２  締め付け溝
９  ウェブ
９１  ボルト
９２  回転ボルト
９３  カバー
９４  ばね部材
９５  ばね部材
９５１  第１ハウジング部品
９５２  第２ハウジング部品
９５３  ばねアーム
９６  細長い穴
９７  突起部
１０  プレート
１０１  ロック溝
１０２  ロック溝
１０３  案内軌道
１０４  ストッパ
１１  昇降補助
１２  側壁保持部
１２１  ストッパ
１２２  保持部材
１２３  ボルト
１２４  凹部
１２５  凹部
１２６  細長い溝
１３  補助プレート
１３１  フック
１４  棚部
１５  棚部
１６  同期部材
１６１  固定プレート
１７  カバー
１７１  第１カバー部品
１７２  第２カバー部品
１７３  凹部
１７４  開口部
１７５  凹部
１７６  リブ
１７７  突起部
１７８  ウェブ
Ａ  延伸方向
【図１】
2015534470.tif 000003
【図２】
2015534470.tif 000004
【図３】
2015534470.tif 000005
【図４】
2015534470.tif 000006
【図５】
2015534470.tif 000007
【図６】
2015534470.tif 000008
【図７】
2015534470.tif 000009
【図８】
2015534470.tif 000010
【図９】
2015534470.tif 000011
【図１０】
2015534470.tif 000012
【図１１】
2015534470.tif 000013
【図１２】
2015534470.tif 000014
【図１３】
2015534470.tif 000015
【図１４】
2015534470.tif 000016
【図１５】
2015534470.tif 000017
【図１６】
2015534470.tif 000018
【図１７】
2015534470.tif 000019
【図１８】
2015534470.tif 000020
【図１９】
2015534470.tif 000021
【図２０】
2015534470.tif 000022
【図２１】
2015534470.tif 000023
【図２２】
2015534470.tif 000024
【図２３】
2015534470.tif 000025
【図２４】
2015534470.tif 000026
【図２５】
2015534470.tif 000027
【図２６】
2015534470.tif 000028
【図２７】
2015534470.tif 000029
【図２８】
2015534470.tif 000030
【図２９ａ】
2015534470.tif 000031
【図２９ｂ】
2015534470.tif 000032
【図２９ｃ】
2015534470.tif 000033
【図３０】
2015534470.tif 000034
【図３１ａ】
2015534470.tif 000035
【図３１ｂ】
2015534470.tif 000036
【図３２ａ】
2015534470.tif 000037
【図３２ｂ】
2015534470.tif 000038
【図３２ｃ】
2015534470.tif 000039
【図３３】
2015534470.tif 000040
【図３４】
2015534470.tif 000041
【図３５】
2015534470.tif 000042
【図３６】
2015534470.tif 000043
【国際調査報告】
2015534470.tif 000044
2015534470.tif 000045
2015534470.tif 000046
2015534470.tif 000047